(57)【要約】      （修正有）【課題】複数のレーティング情報を簡単かつ確実に設定する。【解決手段】レーティング情報記憶部には、レーティング情報２５に関連するテーブルが記憶されている。制御部２１からの指示に基づいて、テーブル内の情報を参照可能になっている。レーティング情報記憶部２５は、視聴年齢制限に関する基準が異なる複数のレーティング情報を、複数のレーティング情報のうちの共通に設定できる共通項目を互いに関連付けして記憶している。制御部２１は、年齢制限に関する関連付けに基づいて、共通項目を一括して設定することができる。視聴番組のレーティング情報のブロックが未設定の場合で、ユーザが他のレーティング情報で設定したレベルと同等かそれ以上のレベルのレーティングの場合、例えばメッセージを表示することで子供に見せたくないような番組が放送されてもユーザに知らせることができ、安心して視聴させることができる。【選択図】図１
2007281686.tif 000002
【特許請求の範囲】
【請求項１】
設定したレーティングに基づいて受信した番組の視聴制限処理を行う機能を有するテレビ受信機であって、
視聴年齢制限に関する基準が異なる複数のレーティング情報を記憶するレーティング情報記憶部と、
該レーティング情報記憶部の前記レーティング情報を参照して視聴に関する制限を行う制御部と
を有することを特徴とするテレビ受信機。
【請求項２】
前記制御部は、ユーザにより設定される第１の視聴制限情報と、番組に設定されている第２の視聴制限情報と、を比較して、実際の視聴制限を課すことを特徴とする請求項１に記載のテレビ受信機。
【請求項３】
前記複数のレーティング情報のうち第１のレーティング情報において視聴年齢制限に関する設定がされていない場合であって、第２のレーティング情報による視聴年齢制限が設定されており、番組のレーティングレベルが、受信機に設定されているレベルと同等かそれよりも大きい場合に、その旨を報知するメッセージを表示する制御を行うことを特徴とする請求項１又は２に記載のテレビ受信機。
【請求項４】
設定したレーティングに基づいて受信した番組の視聴制限処理を行う機能を有するテレビ受信機であって、
視聴年齢制限に関する基準が異なる複数のレーティング情報を、該複数のレーティング情報のうち共通に設定できる共通項目を互いに関連付けして記憶するレーティング情報記憶部と、
前記関連付けに基づいて前記共通項目を一括して設定する制御部と
を有することを特徴とするテレビ受信機。
【請求項５】
前記共通項目をメニュー表示の項目として追加する表示制御部を有することを特徴とする請求項４に記載のテレビ受信機。
【請求項６】
前記共通項目が、年齢又は規定の文字列又は数字列と対応付けされることを特徴とする請求項５に記載のテレビ受信機。
【請求項７】
前記表示制御部は、前記メニュー表示に、前記レーティング情報の視聴制限を段階的に設定可能なボタンを表示させることを特徴とする請求項５又は６に記載のテレビ受信機。
【請求項８】
前記複数のレーティング情報のうち第１のレーティング情報において視聴年齢制限に関する設定がされていない場合であって、第２のレーティング情報による視聴年齢制限が設定されており、番組のレーティングレベルが、受信機に設定されているレベルと同等かそれよりも大きい場合に、その旨を報知するメッセージを表示する制御を行うことを特徴とする請求項４から７までのいずれか１項に記載のテレビ受信機。
【発明の詳細な説明】
【技術分野】
【０００１】
本発明は、テレビ受信機に関し、特に、ペアレンタルコントロール（ロック）機能を有するテレビ受信機に関する。
【背景技術】
【０００２】
有害な番組の視聴を制限するために、視聴が好ましくないと思われるレーティングを設定することにより、受信した番組のレーティングが設定したレーティングと一致した場合には、その番組を視聴できないように制御する技術が、特許文献１に開示されている。この文献では、Ｖ−Ｃｈｉｐと呼ばれる視聴制御回路が提案されている。また、Ｖ−Ｃｈｉｐ：ペアレンタルコントロール(ロック)に関する特許文献として、特許文献２では、ペアレンタルコントロールの解除を、パスワードを入れずに視聴できるように、適用する時間を設定している。また、特許文献３には、視聴している番組が、親が見たい番組で子供に見せたくない番組か即座に判断するため、画面上にレーティングを表示させる技術が開示されている。
【０００３】
【特許文献１】米国特許第４，５５４，５８４号明細書
【特許文献２】特開平２００１−２５１８２号公報
【特許文献３】特開２０００−１８４３０５号公報
【発明の開示】
【発明が解決しようとする課題】
【０００４】
しかしながら、上記のいずれの文献においても、複数のレーティング情報を同時に設定することに関しては考慮されておらず、設定するレーティング情報が複数ある場合、ユーザ設定に手間がかかるという第１の問題がある。
【０００５】
さらに、あるレーティング情報では設定されているが、他のレーティング情報では設定されていない場合に、同等のレーティングレベルの番組が放送されても、例えば子供でも視聴が可能になってしまうという第２の問題がある。
【０００６】
本発明は、複数のレーティング情報を簡単かつ確実に設定する技術を提供することを目的とする。
【課題を解決するための手段】
【０００７】
本発明によるテレビ受信機は、第１の問題に関して、複数のレーティング情報に対するブロック設定とは別に共通に設定できる項目をメニューに追加し、年齢または数字を入力することにより複数のレーティング情報の視聴制限設定を同時に行なう。
【０００８】
また、第２の問題に対して、視聴番組のレーティング情報(種類)が、ペアレンタルコントロール設定されていない場合、他の情報が設定されていて、番組のレーティングレベルが設定されているレベルと同等か大きい場合、画面上にメッセージを表示し、ユーザに子供に見せていい番組か確認させるようにする。
【０００９】
すなわち、本発明の一観点によれば、設定したレーティングに基づいて受信した番組の視聴制限処理を行う機能を有するテレビ受信機であって、視聴年齢制限に関する基準が異なる複数のレーティング情報を記憶するレーティング情報記憶部と、該レーティング情報記憶部の前記レーティング情報を参照して視聴に関する制限を行う制御部と、を有することを特徴とするテレビ受信機が提供される。
【００１０】
前記制御部は、ユーザにより設定される第１の視聴制限情報と、番組に設定されている第２の視聴制限情報と、を比較して、実際の視聴制限を課すことが好ましい。また、前記複数のレーティング情報のうち第１のレーティング情報において視聴年齢制限に関する設定がされていない場合であって、第２のレーティング情報による視聴年齢制限が設定されており、番組のレーティングレベルが、受信機に設定されているレベルと同等かそれよりも大きい場合に、その旨を報知するメッセージを表示する制御を行うことが好ましい。
【００１１】
本発明の他の観点によれば、設定したレーティングに基づいて受信した番組の視聴制限処理を行う機能を有するテレビ受信機であって、視聴年齢制限に関する基準が異なる複数のレーティング情報を、該複数のレーティング情報のうち共通に設定できる共通項目を互いに関連付けして記憶するレーティング情報記憶部と、前記関連付けに基づいて前記共通項目を一括して設定する制御部と、を有することを特徴とするテレビ受信機が提供される。前記共通項目をメニュー表示の項目として追加する表示制御部を有することが好ましい。また、前記共通項目が、年齢又は規定の文字列又は数字列と対応付けされるようにしても良い。前記表示制御部は、前記メニュー表示に、前記レーティング情報の視聴制限を段階的に設定可能なボタンを表示させることもできる。また、前記複数のレーティング情報のうち第１のレーティング情報において視聴年齢制限に関する設定がされていない場合であって、第２のレーティング情報による視聴年齢制限が設定されており、番組のレーティングレベルが、受信機に設定されているレベルと同等かそれよりも大きい場合に、その旨を報知するメッセージを表示する制御を行うこともできる。これにより、例えば、ユーザにとって、子供などに見せていい番組かどうかを視聴前に確認できるようにすることができる。
【発明の効果】
【００１２】
本発明によれば、ペアレンタルコントロール(ロック)を有するテレビ受信機において、レーティング情報が複数ある場合に、共通に設定することにより、ユーザ設定の手間を省くことができる。
【００１３】
また、本発明によれば、ユーザにとって、子供などに見せていい番組かどうかを視聴前に確認できるようにすることができる。
【００１４】
このように、ペアレンタルコントロールの設定が容易にできる上に、一部のペアレンタルコントロールを設定し忘れていても子供と一緒に安心して視聴できるという利点がある。
【発明を実施するための最良の形態】
【００１５】
以下に説明する本実施の形態によるテレビ受信機について図面を参照しながら説明を行う。本実施の形態によるテレビ受信機は、複数のレーティング情報の設定が重複している場合の処理技術に関連するものである。
【００１６】
図１は、本発明の第１の実施の形態によるテレビ受信機の一構成例を示す機能ブロック図である。図１に示すように、本実施の形態によるテレビ受信機Ａは、受信機本体１と、それを制御するための操作を行うリモコン装置１５と、を有している。受信機本体１には、チューナー部３と、信号処理部５と、表示に関する制御を行う表示制御部７と、表示部１１と、リモコン受光部１７と、全体を制御する制御部２１と、視聴に関する制御を行う視聴制御部２３と、レーティング情報を記憶するレーティング情報記憶部２５と、を有している。レーティング情報記憶部には、下記において説明する表１から表９までに示すようなレーティング情報２５に関連するテーブルが記憶されている。このテレビ受信器Ａにおいては、制御部２１からの指示に基づいて、適宜、表１〜９までの情報を参照可能になっている。
【００１７】
以下に、本発明の一実施の形態によるテレビ受信機について、視聴制限に関する技術に重点を置いて説明を行う。以下の表１から表９までは、視聴年齢制限に関する異なる基準を有する複数のレーティング情報を示すテーブルであり、レーティング情報記憶部２５に記憶されている。尚、レーティング情報は、テレビ受信機Ａ内に保存されていなくても、例えばインターネットを介して参照可能な状態になっていれば良い。
【００１８】
レーティング情報記憶部２５は、視聴年齢制限に関する基準が異なる複数のレーティング情報を、複数のレーティング情報のうちの共通に設定できる共通項目を互いに関連付けして記憶している。制御部２１は、年齢制限に関する関連付けに基づいて、共通項目を一括して設定することができる。また、視聴番組のレーティング情報のブロックが未設定の場合で、ユーザが他のレーティング情報で設定したレベルと同等かそれ以上のレベルのレーティングの場合、例えばメッセージを表示することで子供に見せたくないような番組が放送されてもユーザに知らせることができ、安心して視聴させることができる。
【００１９】
以下に、レーティング情報の一例として北米におけるレーティング情報に関するテーブルを示す。
【００２０】
【表１】
2007281686.tif 000003
【００２１】
表１は、北米でのレーティング情報の概要を示すものである。子供用のレーティング情報としては、ＴＶ−Ｙ、ＴＶ−Ｙ７などが、全視聴者用の情報としては、ＴＶ−Ｇ、ＴＶ−ＰＧ、ＴＶ−１４、ＴＶ−ＭＡなどが挙げられる。これらの情報に示される数字は、視聴年齢制限に関する数字である。このようなレーティング情報をテレビ番組の放送とともに送ることにより、所望の視聴年齢制限を行うことができる。ＴＶ−Ｙは、子供用番組であり、Ｙに続く数字（例えば７）は、０〜６歳までの子供に対して視聴制限を課すことを意味するものである。ＴＶ−Ｙ（特に年齢制限なし）〜ＴＶ−ＭＡ（１７歳未満には適していない）までの、条件を１つ又は複数課しておくことで、ある年齢、例えば０〜６歳を入力した場合に、ＴＶ−ＭＡからＴＶ−Ｙ７までの全てが設定されていれば、これらを全てブロックすることになる。このレーティングシステムをTV GuidelinesあるいはTVGと記す。
【００２２】
【表２】
2007281686.tif 000004
【００２３】
表２は、ＴＶ−Ｙ（ＴＶ−Ｙ７）とその他を分けた場合の表である。表２のように、ＴＶ−Ｙ７とＴＶ−ＧからＴＶ−ＭＡまでの制限が課され、例えば、０〜６歳までの間の入力がなされた場合には、ＴＶ−Ｙ７とＴＶ−ＭＡからＴＶ−Ｇまでをブロックすることになる。
【００２４】
【表３】
2007281686.tif 000005
【００２５】
表３は、映画用のレーティング（ＭＰＡＡ  Ｒａｔｉｎｇ）を示す表である。Ｇは年齢制限なし、ＰＧは子供に関する制限であり、その後に続く数字が１３であれば１３歳未満には不適当である旨を示す。ＰＧ１３は１３歳未満には不適当な映画であり、Ｒは、１７歳未満は保護者の同伴が要求される映画であり、ＮＣ−１７は１７歳未満が視聴禁止の映画、Ｘも１７歳未満は視聴禁止の映画である。ここで、０〜１２歳までの年齢が入力されると、ＸからＰＧまでをブロックし、１３〜１６歳までを入力するとＸからＲまでをブロックし、１７歳以上はブロックしない。
【００２６】
【表４】
2007281686.tif 000006
【００２７】
表４は、カナダにおける英語放送のレーティング情報を示す表である。Ｅは、視聴制限が免除される番組、Ｃは８歳未満の子供が一人で見ても良い番組、Ｃ８＋は、８歳以上の子供が一人で見ても良い番組、等の、表１とは異なる条件による規定が設けられている。
【００２８】
【表５】
2007281686.tif 000007
【００２９】
表５は、カナダにおけるフランス語放送のレーティング情報を示す表である。Ｅは、視聴制限が免除される番組、Ｇは８歳以上の子供が一人で見ても良い番組、８ａｎｓ＋は、８歳未満には推奨できない番組、等の、表４とは異なる条件による規定が設けられている。
【００３０】
【表６】
2007281686.tif 000008
【００３１】
表６は、年齢入力により設定する最低のレーティングのレベルを、ＴＶＧ、ＭＰＡＡ、カナダの英語版、カナダのフランス語版、のそれぞれについて、対応するように示した表である。例えば、０〜６歳の視聴年齢制限を課す場合に、ＴＶＧではＴＶ−Ｙ７と、ＭＰＡＡではＰＧと、カナダの英語版ではＣ８＋と、カナダのフランス語版では８ａｎｓ＋と、それぞれ異なる設定がされる。或いは、設定がされない規定になっている場合もある。
【００３２】
【表７】
2007281686.tif 000009
【００３３】
表７は、設定例として、視聴者の年齢を１３歳にする場合について示す。例えば管理者が１３と入力すると、図４のメニュー画面に示され、図４を参照しながら後述するようにそれぞれのレーティング種別に関するレベル設定が、上述のような規定に基づいて表示される。
【００３４】
【表８】
2007281686.tif 000010
【００３５】
表８は、４桁のコードで入力する場合の例を示す表である。ＴＶＧ、ＭＰＡＡ、カナダの英語版、カナダのフランス語版、のそれぞれが、入力するコードのそれぞれの桁の数字の“０”と“１”とに対応する。１桁目がＴＶＧ設定に、２桁目がＭＰＡＡ設定に、３桁目がＣａｎａｄｉａｎ  Ｅｎｇｌｉｓｈ設定に、４桁目がＣａｎａｄｉａｎ  Ｆｒｅｎｃｈ設定に、対応する。例えば、“００００”のコード入力は、何も設定しないことを意味し、“０００４”のコード入力はＴＶ−ＰＧでＴＶ−Ｇの視聴制限が課されるが、ＭＰＡＡ、カナダの英語版、カナダのフランス語版、での視聴制限がないことを意味する。表８には、４種類の視聴制限の重複がない例が示されている。
【００３６】
【表９】
2007281686.tif 000011
【００３７】
表９は、表８と同様の４桁のコードで入力する場合の例を示す表であるが、ＴＶＧ、ＭＰＡＡ、カナダの英語版、カナダのフランス語版、での視聴制限に重複がある場合の例を示す表である。例えば、入力コードを“１１１１”とすると、ＴＶＧがＴＶ−ＭＡ、ＭＰＡＡがＸ、カナダの英語版が１８＋、カナダのフランス語版が１８ａｎｓ＋である視聴制限が設定される。このように、複数のレーティング情報（MPAA,TV Guidelines, Canadian English, Canadian French）が設定項目として存在する場合がある。
【００３８】
以下に、上記のレーティング情報を参照可能な図１のテレビ受信機Ａの機能についてその表示メユー例を示すことにより詳細に説明を行う。
【００３９】
図２は、表示部１１の表示例であって視聴制限に関する処理例を示す図である。この階層よりも上の階層でのメニュー項目においてペアレンタルコントロール項目を設定した場合のメニュー表示例を示す図である。図２に示すように、表示部１１の表示画面３１に表示されるメニュー表示例である。図２の例では、表示画面の３１の左側の領域に、レベル設定領域３３と、暗証番号入力領域３５とが配置されている。
【００４０】
このように、レベル設定処理においては、まず暗証番号を設定し、暗証番号設定後、ペアレンタルコントロール選択は、正しい暗証番号を入力する必要がある。正しい暗証番号を入力しなければ、ペアレンタルコントロール項目を選択することができないようになっている。
【００４１】
図３は、視聴年齢設定メニュー表示の第１例を示す図である。表示画面３１の左側の領域には、視聴年齢設定３７と、コード設定３９と、詳細設定４１と、の３つの項目が選択可能に設けられている。図では、視聴年齢設定３７が選択状態となっている。この場合には、画面の右側の領域に視聴年齢入力領域４７と、関連する「視聴年齢を入力してください」との記載４５と、が設けられている。
【００４２】
図４は、視聴年齢設定メニュー表示の第２例を示す図である。表示画面３１の左側の領域には、視聴年齢設定３７と、コード設定３９と、詳細設定４１と、の３つの項目が選択可能に設けられている。図では、視聴年齢設定３７が選択状態となっている。この場合に、図４では、画面の右側の領域に視聴年齢入力領域４７と、関連する「視聴年齢を入力してください」との記載４５と、が設けられている。視聴年齢設定３７にフォーカスがあたっている場合、リモコン等の右カーソルキーで年齢入力へフォーカスを移動させ、年齢を入力する。レーティングは年齢を入力した時点で表示する。例えば、下カーソルキー等で、決定５３、詳細設定５５にフォーカス移動することができる。フォーカスがあたった状態で決定キーを押すと、視聴年齢入力領域４７が表示されるとともに、設定する入力は、以下の通りですとの表示５１がなされる。決定５３を押すと視聴年齢設定４７にフォーカスが移動し、詳細設定５５を押すと図５の表示画面に移行する。図５は、詳細設定選択時のメニュー表示例を示す図であり、年齢設定で決定ボタンを押した後の場合を示す図である。図５に示すように、ＴＶ  Ｇｕｉｄｅｌｉｎｅｓ５７−１と、ＭＰＡＡ５７−２と、Ｃａｎ．Ｅｎｇｌｉｓｈ  Ｒａｔｉｎｇｓ５７−３と、Ｃａｎ．Ｆｒｅｎｃｈ  Ｒａｔｉｎｇｓ５７−４とのレーティング情報の選択項目が表示される。図では、ＴＶ  Ｇｕｉｄｅｌｉｎｅｓ５７−１に選択５８がフォーカシングされている。
【００４３】
この場合には、表２に示すＤ・Ｌ・Ｓ・Ｖ・ＦＶが個別に選択可能になり（６２）、ＴＶ−Ｙ、ＴＶ−Ｙ７、ＴＶ−Ｇ、ＴＶ−ＰＧ、ＴＶ−１４、ＴＶ−ＭＡ、Ｎｏｎｅが選択できる（６３）。実際には、移動可能なバー６１ａを有するレーティング情報に基づく視聴制限を設定するためのスライドバー６１により、どの制限までのロック６５が行われるかを簡単に設定することが可能である。
【００４４】
図６は、下カーソルでＭＰＡＡ選択時のメニュー表示例を示す図である。図６に示すように、レーティング情報の選択項目においてＭＰＡＡ５７−２が選択されると（５８）、右側に、表３に示す映画用レーティングが表示され（６３）、スライドバー６１・６１ａにより、スライドさせて、視聴制限を課すことができる。図では、Ｒまでの視聴制限が課されている。
【００４５】
図７は、下カーソルでＣａｎ．Ｅｎｇｌｉｓｈ  Ｒａｔｉｎｇｓ選択時のメニュー表示例を示す図である。図７に示すように、レーティング情報の選択項目においてＣａｎ．Ｅｎｇｌｉｓｈ  Ｒａｔｉｎｇｓ５７−３が選択されると（５８）、右側に、表４に示すレーティングが表示され（６３）、スライドバー６１・６１ａにより、スライドさせて、視聴制限を課すことができる。図では、Ｇまでの視聴制限が課されている。
【００４６】
図８は、下カーソルでＣａｎ．Ｅｎｇｌｉｓｈ  Ｒａｔｉｎｇｓ選択時のメニュー表示例を示す図である。図８に示すように、レーティング情報の選択項目においてＣａｎ．Ｆｒｅｎｃｈ  Ｒａｔｉｎｇｓ５７−４が選択されると（５８）、右側に、表５に示すレーティングが表示され（６３）、スライドバー６１・６１ａにより、スライドさせて、視聴制限を課すことができる。図では、１６ａｎｓ＋までの視聴制限が課されている。
【００４７】
図９は、コード設定メニュー表示の第１表示例を示す図である。図９に示すように、コード設定３９を選択すると、表示画面３１の右側に、例えば、「取扱説明書にあるコードを入力してください。」などの表示７１が行われる。ここで、４桁の入力欄７３にコードを入力することができる。
【００４８】
図１０は、コード設定メニュー表示の第２表示例を示す図である。図１０に示すように、コード設定３９を選択すると、表示画面３１の右側に、例えば、４桁の入力欄７３が表示され、ここにコードを入力することができる。その下の領域には、設定するレベルが表示され（７５）、ユーザはレベルを確認することができる。ここで、確認後に決定７７又は詳細設定７９を行うことができる。尚、コード設定にフォーカスがあたっている場合、たてば、リモコンの方向キーのうち右カーソルキーでコード入力へフォーカス移動が可能である。レーティング等はコードを入力した時点で表示される。下カーソルキー等で、“決定”、“詳細設定”にフォーカスを移動させることができる。ここで、決定を押すとコード設定にフォーカスが移動し、“詳細設定“を押すと以下のような表示がなされる。
【００４９】
図１１は、詳細設定選択時のメニュー(コード設定で決定ボタンを押した後の場合)のメニュー表示例を示す図である。図１１に示す例では、コード設定で決定ボタンを押した後の詳細設定選択時のメニューにおいて、ＴＶ  Ｇｕｉｄｅｌｉｎｅｓ  ５７−１にフォーカスを行った場合（５８）において、スライドバー６１・６１ａによりスライドさせて、ＴＶ−１４までの視聴制限を設定している。
【００５０】
図１１に示す表示から遷移し、図１２に示すように、下方向への方向キー（下カーソル）によりＭＰＡＡを選択した場合には、符号６３に示すようにＭＰＡＡの設定候補６３が表示される。ここで、図１２では、スライドバー６１・６１ａによりスライドさせて、ＰＧ−１３までの視聴制限を設定している。  
【００５１】
図１３は、下方向への方向キー（下カーソル）によりＣａｎ．Ｅｎｇｌｉｓｈ  Ｒａｔｉｎｇｓ５７−３を選択（５８）した場合の図１１に示す表示から遷移したメニュー表示例を示す図である。Ｃａｎ．Ｅｎｇｌｉｓｈ  Ｒａｔｉｎｇｓを選択した場合には、符号６３に示すように、表４において説明したレーティング情報が符号６３で示されるように表示される。ここで、スライドバー６１・６１ａによりスライドさせて、１４＋までの視聴制限を設定している。
【００５２】
図１４は、下カーソルで、Ｃａｎ．Ｆｒｅｎｃｈ  Ｒａｔｉｎｇｓ５７−４を選択（５８）した場合の図１１に示す表示から遷移したメニュー表示例を示す図である。Ｃａｎ．Ｆｒｅｎｃｈ  Ｒａｔｉｎｇｓを選択した場合には、符号６３に示すように、表５において説明したレーティング情報が符号６３で示されるように表示される。ここで、スライドバー６１・６１ａによりスライドさせて、１３ａｎｓ＋までの視聴制限を設定している。
【００５３】
以上に説明したように、本実施の形態によるテレビ受信機においては、レーティング情報記憶部には、上記表１から表９までに示すようなテーブルが記憶されており、制御部２１からの指示に基づいて、適宜、表１〜９までの情報を参照可能になっている。従って、例えば、ユーザが年齢を設定するだけ操作に基づいて、その年齢に該当するレーティングレベルまでの視聴制限を自動的に設定することができる。従って、操作が非常に簡単になる。
【００５４】
また、予め対応付けがなされ内容が決められたテーブル（表１〜９など）に対応する数字又は記号などを入力することによって、レーティングを詳細に設定することも可能である。
【００５５】
次に、本発明の第２の実施の形態によるテレビ受信機について、図面を参照しながら説明を行う。
【００５６】
図１５は、異なるレーティング情報で同じ年齢が視聴年齢制限されていない場合のメッセージ表示例を示す図である。ＴＶＧにＴＶ−１４を設定し、ＭＰＡＡに何も設定していない状態で、ＭＰＡＡ  ＮＣ−１７のレーティング番組を視聴した場合、表示画面３１には、「この番組の視聴年齢(NC-17)は現在設定している他のレーティング情報の年齢制限にかかります。」とのユーザに注意を促すための表示がなされ、表示消去８３、視聴制限８５、詳細設定８７、の３種類のボタンが設けられている。図では、表示消去８３にフォーカスがあたっているとする。“表示消去”８３で決定ボタンを押すと、表示が消去される。“視聴制限”８５で決定ボタンを押すと視聴制限をかける。“詳細設定”８７で決定ボタンを押すと、以下に説明するような表示がなされる。
【００５７】
図１６は、詳細設定選択時のＭＰＡＡ選択メニュー表示例を示す図である。図１６に示すように、ＭＰＡＡ５７−２にフォーカスが当たると（５８）、表３に示すレーティング情報の項目が表示され（６３）、スライドバー６１・６１ａによりスライドさせることで、視聴制限を設定できる。図では、６１ａが一番下の位置にあるため、どの視聴制限も課されていないことになる。このように、視聴制限を全く課さないように設定することも可能である。
【００５８】
次に、上記表示メニューに基づく本実施の形態による視聴年齢制限設定処理の流れについて図面を参照しながら説明を行う。図１７は、異なるレーティング情報で同じ年齢が視聴年齢制限されていない場合の処理の流れを示すフローチャート図である。すなわち、受信したレーティングシステムが視聴制限設定されていない場合の例である。この場合には、ステップＳ１においてレーティング受信すると、ステップＳ２において受信したレーティングシステムの視聴制限設定が未設定かどうかを判断する。設定されていれば（Ｎｏ）、ステップＳ１５に進み、通常の視聴制限判定処理を行い、ステップＳ１４に進み処理を終了する。Ｙｅｓであれば、ステップＳ３に進み他のレーティングシステムの視聴制限設定が設定済みかどうかを判定する。設定されていなければ（Ｎｏ）、ステップＳ１４に進み処理を終了する。設定されていれば（Ｙｅｓ）ステップＳ４に進み、他のレーティングシステムの視聴制限設定レベル(年齢)が受信したレベルより下かどうかを判定する。下でなければ（Ｎｏ）、ステップＳ１４に進み処理を終了する。下であれば（Ｙｅｓ）、ステップＳ５に進み、他のレーティングの視聴制限にかかる旨のメッセージを表示する。
【００５９】
次いで、例えば１分以内に、決定キーが押されたかどうかを判断する（ステップＳ６）。Ｎｏであれば、ステップＳ７に進み、表示を消去し、Ｙｅｓであれば、ステップＳ８に進み、表示消去の選択がなされたかどうかを判断し、表示消去の選択がなされていれば（Ｙｅｓ）表示消去処理を行う（ステップＳ９）。表示消去の選択がなされていなければ（Ｎｏ）、ステップＳ１０に進み、視聴制限選択が行われているか否かを判定し、視聴制限選択が行われていれば（Ｙｅｓ）ステップＳ１１に進み視聴制限処理を行い、視聴制限選択が行われていなければ（Ｎｏ）ステップＳ１２に進む。ステップＳ１２においては、詳細設定選択を行うか否かを判定し、選択していれば（Ｙｅｓ）ステップＳ１３に進み詳細設定画面へ進む。選択していなければ（Ｎｏ）ステップＳ１４に進み処理を終了する。
【００６０】
上位処理によれば、異なるレーティング情報で同じ年齢が年齢視聴制限されていない場合には、年齢が下である場合に他のレーティング情報に基づく視聴制限が課される旨のメッセージを表示し、ユーザからの応答を待って、表示消去・視聴制限選択・詳細設定選択の設定のいずれかを行うことができる。このように、異なるレーティング情報で同じ年齢制限であるかどうかを判定し、その判定結果に基づいて再設定を行う機会が与えられるため、複数の視聴年齢制限に関する矛盾を解消することができる。
【００６１】
視聴番組のレーティング情報のペアレンタルコントロール設定がなされていない場合で、他のレーティング情報で設定してある年齢と同等又はレベルが高い場合に、画面上にその旨のメッセージを表示させることで、子供に見せていい番組かどうかをユーザに確認させることにより、最終的判断の機会を付与し、例えば、親が子供と一緒に安心してテレビの視聴をできるようになるという利点がある。
【産業上の利用可能性】
【００６２】
本発明は、テレビ受信機に利用可能である。
【図面の簡単な説明】
【００６３】
【図１】本実施の形態によるテレビ受信機の一構成例を示す機能ブロック図である。
【図２】図２は、表示部１１の表示例であって視聴制限に関する処理例を示す図である。
【図３】視聴年齢設定メニュー表示の第１例を示す図である。
【図４】視聴年齢設定メニュー表示の第２例を示す図である。
【図５】詳細設定選択時のメニュー表示例を示す図であり、年齢設定で決定ボタンを押した後の場合を示す図である。
【図６】下カーソルでＭＰＡＡ選択時のメニュー表示例を示す図である。
【図７】下カーソルでＣａｎ．Ｅｎｇｌｉｓｈ  Ｒａｔｉｎｇｓ選択時のメニュー表示例を示す図である。
【図８】下カーソルでＣａｎ．Ｆｒｅｎｃｈ  Ｒａｔｉｎｇｓ選択時のメニュー表示例を示す図である。
【図９】コード設定メニュー表示の第１表示例を示す図である。
【図１０】コード設定メニュー表示の第２表示例を示す図である。
【図１１】詳細設定選択時のメニュー(コード設定で決定ボタンを押した後の場合)のメニュー表示例を示す図である。
【図１２】図１１に示す表示から遷移し、下方向への方向キー（下カーソル）によりＭＰＡＡを選択した場合の表示例を示す図である。
【図１３】下方向への方向キー（下カーソル）によりＣａｎ．Ｅｎｇｌｉｓｈ  Ｒａｔｉｎｇｓ５７−３を選択（５８）した場合の図１１に示す表示から遷移したメニュー表示例を示す図である。
【図１４】下カーソルで、Ｃａｎ．Ｆｒｅｎｃｈ  Ｒａｔｉｎｇｓ５７−４を選択（５８）した場合の図１１に示す表示から遷移したメニュー表示例を示す図である。
【図１５】異なるレーティング情報で同じ年齢が視聴年齢制限されていない場合のメッセージ表示例を示す図である。
【図１６】詳細設定選択時のＭＰＡＡ選択メニュー表示例を示す図である。
【図１７】異なるレーティング情報で同じ年齢が視聴年齢制限されていない場合の処理の流れを示すフローチャート図である。
【符号の説明】
【００６４】
Ａ…テレビ受信機、１…受信機本体、３…チューナー部、５…信号処理部、７…表示制御部、１１…表示部、１５…リモコン装置、１７…リモコン受光部、２１…制御部、２３…視聴制御部、２５…レーティング情報記憶部。
【図１】
2007281686.tif 000012
【図２】
2007281686.tif 000013
【図３】
2007281686.tif 000014
【図４】
2007281686.tif 000015
【図５】
2007281686.tif 000016
【図６】
2007281686.tif 000017
【図７】
2007281686.tif 000018
【図８】
2007281686.tif 000019
【図９】
2007281686.tif 000020
【図１０】
2007281686.tif 000021
【図１１】
2007281686.tif 000022
【図１２】
2007281686.tif 000023
【図１３】
2007281686.tif 000024
【図１４】
2007281686.tif 000025
【図１５】
2007281686.tif 000026
【図１６】
2007281686.tif 000027
【図１７】
2007281686.tif 000028